(57)【要約】【課題】運搬が容易であって非使用時には折り畳んでコンパクトに収納することができると共に交流電源が使用不能になった場合でも内部の照明を確保することができ、更には被災地において浴槽、便器等の簡便な囲いとして使用することができる災害時用小屋を提供する。【解決手段】組立て分解自在の支持フレーム３には表面にソーラーパネル１３を備えた折畳み自在のシート５を着脱自在に取り付けることにより内部が外側から見えない囲い１を形成すると共に該囲い１に照明手段を内設してなることを特徴とする災害時用小屋。【選択図】図１
2008025294.tif 000002
【特許請求の範囲】
【請求項１】
組立て分解自在の支持フレームには表面にソーラーパネルを備えた折畳み自在のシートを着脱自在に取り付けることにより内部が外側から見えない囲いを形成すると共に該囲いに照明手段を内設してなることを特徴とする災害時用小屋。
【請求項２】
組立て分解自在の支持フレームには表面にソーラーパネルを備えた巻取り自在のシートを着脱自在に取り付けることにより内部が外側から見えない囲いを形成すると共に該囲いに照明手段を内設してなることを特徴とする災害時用小屋。
【請求項３】
風力発電手段を備えさせたことを特徴とする請求項１又は２に記載の災害時用小屋。
【発明の詳細な説明】
【技術分野】
【０００１】
本発明は、災害時用小屋に関するものであり、特に、地震、津波、洪水、土砂崩れ、火災その他の災害が発生したときに、被災地において浴槽、便器等の簡便な囲いとして用いられる災害時用小屋に係るものである。
【背景技術】
【０００２】
地震、津波、洪水、土砂崩れ、火災その他の災害が発生したときに、被災地において緊急用に使用される仮設トイレは、例えば実開平６−６６２２号公報等により開示されている。
【０００３】
上記従来の仮設トイレは、内部が外側から見えないようにした電話ボックス状の略直方体状の本体内に便器を配設してなるものである。
【特許文献１】実開平６−６６２２号公報
【発明の開示】
【発明が解決しようとする課題】
【０００４】
上記従来の仮設トイレは、内部が外側から見えないようにしているという点においては好ましいものであるが、なお次のような問題がある。
【０００５】
（イ）仮設トイレは、非使用時には収納スペースに収納され、災害の発生時には、収納スペースから被災地まで多数個が運搬され、被災地に多数個が設置されるものである。
しかるに、従来の仮設トイレは、組み立て式ではなく、頑丈に形成されており、しかも重量が大きくて嵩張るため、運搬が容易ではなく、非使用時における収納に大きなスペースを要する。
因みに、災害により道路が使用不能になった場合には、仮設トイレはヘリコプター等により空輸しなければならないことも多いが、重量が大きくて嵩張る従来の仮設トイレを多数個空輸することは困難である。
【０００６】
（ロ）災害の発生時には被災地では交流電源が使用不能になることが多い。交流電源が使用不能になった場合、仮設トイレ内の照明を確保することが困難になる。従って、夜間等においては、仮設トイレが使用し難くなる。交流電源が使用不能になった場合には、ガソリンエンジン等を用いた発電機を使用することも可能であるが、このような発電機は使用時に騒音を発し、しかも発電機自体の重量が大きいため、運搬が容易ではない。
【０００７】
（ハ）従来の仮設トイレ内でフロを使用することはできない。
【０００８】
本発明は、上記従来の仮設トイレにおける上述の如き問題を解決し、運搬が容易であって非使用時には折り畳んでコンパクトに収納することができると共に交流電源が使用不能になった場合でも内部の照明を確保することができ、更には被災地において浴槽、便器等の簡便な囲いとして使用することができる災害時用小屋を提供しようとしてなされたものであ。
【課題を解決するための手段】
【０００９】
上記課題を解決するために、本発明は下記の災害時用小屋を提供する。
【００１０】
（１）組立て分解自在の支持フレームには表面にソーラーパネルを備えた折畳み自在のシートを着脱自在に取り付けることにより内部が外側から見えない囲いを形成すると共に該囲いに照明手段を内設してなることを特徴とする災害時用小屋（請求項１）。
【００１１】
（２）組立て分解自在の支持フレームには表面にソーラーパネルを備えた巻取り自在のシートを着脱自在に取り付けることにより内部が外側から見えない囲いを形成すると共に該囲いに照明手段を内設してなることを特徴とする災害時用小屋（請求項２）。
【００１２】
（３）災害時用小屋には風力発電手段を備えさせる（請求項３）。
【発明の効果】
【００１３】
［請求項１の発明］
災害時用小屋は内部が外側から見えないようにした囲いを備えているため、簡易な浴槽、便器等を内部で支障なく使用し、或いは内部で授乳、オムツの交換、衣類の着替え等を支障なく行なうことができる。
【００１４】
ソーラーパネルを備えたシートは支持フレームに対し着脱自在であり、かつ、折畳み自在である。また、支持フレームも組立て分解自在である。従って、災害時用小屋は、非使用時にはコンパクトな状態で収納することができ、多数個を車両等により運搬し、あるいはヘリコプター等により空輸することも容易である。
【００１５】
ソーラーパネルは、太陽の光エネルギーを電気エネルギーに変換する発電手段である。ソーラーパネルにより発電された電気を利用して囲いの内部の照明手段により囲いの内部を照明することができる。従って、交流電源が使用不能な夜間等においても、災害時用小屋を好ましく使用することができる。また、使用時に騒音を発すると共に重量が大きいガソリンエンジン等を用いた発電機を使用する必要はない。
【００１６】
［請求項２の発明］
請求項２の発明は、ソーラーパネルを備えたシートが巻取り自在である点を除き、上記請求項１の発明と同様である。従って、請求項２の発明は上記請求項１の発明と同様の効果を発揮する。
【００１７】
［請求項３の発明］
請求項３の発明は、発電手段としてソーラーパネルと風力発電手段とを備えている。ソーラーパネルは雨天時、曇天時、夜間等には発電しないのであるが、風力発電手段は雨天時、曇天時、夜間その他いかなるときでも、風がある限り、発電を行なうことができる。その他の点においては、請求項３の発明は上記請求項１の発明と同様の効果を発揮する。
【発明を実施するための最良の形態】
【００１８】
符号１に示すものは、内部が外側から見えない囲いである。
【００１９】
囲い１は、支持フレーム３にシート５を着脱自在に取り付けてなるものである。囲い１は、内部が外側から見えないようにしたものである。
【００２０】
支持フレーム３は、組立て分解自在である。
【００２１】
即ち、支持フレーム３は、一例として図６に示すように、地上に立設した垂直部材７、７・・・の上端に受け孔９、９・・・を備えさせ、該垂直部材７の受け孔９に水平部材１１、１１・・・の各屈曲端１１ａを挿脱自在に挿入してなるものとする。
【００２２】
各垂直部材７と各水平部材１１は、例えば、金属、合成樹脂等により形成する。
【００２３】
シート５の表面にはソーラーパネル１３を備えさせる。ソーラーパネル１３は、太陽の光エネルギーを電気エネルギーに変換する発電手段である。
【００２４】
表面にソーラーパネル１３を備えたシート５は、折畳み自在又は巻取り自在である。
【００２５】
図４は、表面にソーラーパネル１３を備えた折畳み自在のシート５の一例を示す。
【００２６】
図４に示すシート５は、それぞれ表面にソーラーパネル１３ａを備えたシート片５ａ、５ａ・・・をヒンジ１５、１５・・・を介して折畳み自在に連結してなるものである。
【００２７】
図５は、表面にソーラーパネル１３を備えた巻取り自在のシート５の一例を示す。
【００２８】
図示の事例においては、囲い１の垂直面に折畳み自在又は巻取り自在のシート５を使用し、天井面にはシート５とは別体のシート６を使用している。シート６についても表面にソーラーパネル１３を備えさせる。
【００２９】
災害時用小屋には、風力発電手段１６を備えさせてもよい。風力発電手段１６は、一例として図８に示すように、囲い１の上面に着脱自在に取り付ける。
【００３０】
風力発電手段１６は、風車１６ａと該風車１６ａに関連させた発電機１６ｂとを備え、該風車１６ａが風の力で回転することにより該発電機１６ｂを作動させるようにしてなるものである。
【００３１】
囲い１内には蓄電池１７が配設されている。
【００３２】
蓄電池１７はソーラーパネル１３又は風力発電手段１６により充電される。
【００３３】
囲い１には電球等の照明手段１９を内設する。
【００３４】
照明手段１９は、交流電源を使用することができないときでも、蓄電池１７を電源として囲い１内を照明する。
【００３５】
囲い１内には、必要に応じて、簡易な浴槽２１（図２）、便器２３（図３、図８）等を持ち込んで使用する。
【００３６】
図２における符号２２に示すものは脱衣スペース、符号２４に示すものは履物である。
【００３７】
符号２５に示すものは囲い１の出入り口２７に設けられたドアであり、符号２９に示すものはドア２５のノブである。
【００３８】
図７に示す事例においては、囲い１の出入り口２７はスライドファスナー３１により開閉される。
【図面の簡単な説明】
【００３９】
【図１】本発明による災害時用小屋の一例を示す斜視図である。
【図２】同上災害時用小屋の内部で浴槽を使用している状態を示す断面図である。
【図３】同上災害時用小屋の内部で便器を使用している状態を示す断面図である。
【図４】表面にソーラーパネルを備えた折畳み自在のシートの一例を示す斜視図である。
【図５】表面にソーラーパネルを備えた巻取り自在のシートの一例を示す斜視図である。
【図６】支持フレームの一例を示す斜視図である。
【図７】本発明による災害時用小屋の別の一例を示す斜視図である
【図８】風力発電手段を備えた災害時用小屋を示す断面図である。
【符号の説明】
【００４０】
１  囲い
３  支持フレーム
５  シート
５ａ  シート片
６  シート
７  垂直部材
９  受け孔
１１  水平部材
１１ａ  屈曲端
１３  ソーラーパネル
１３ａ  ソーラーパネル
１５  ヒンジ
１６  風力発電手段
１６ａ  風車
１６ｂ  発電機
１７  蓄電池
１９  照明手段
２１  浴槽
２２  脱衣スペース
２３  便器
２４  履物
２５  ドア
２７  出入り口
２９  ノブ
【図１】
2008025294.tif 000003
【図２】
2008025294.tif 000004
【図３】
2008025294.tif 000005
【図４】
2008025294.tif 000006
【図５】
2008025294.tif 000007
【図６】
2008025294.tif 000008
【図７】
2008025294.tif 000009
【図８】
2008025294.tif 000010